【手続補正書】
【提出日】平成28年8月16日(2016.8.16)
【手続補正１】
【補正対象書類名】明細書
【補正対象項目名】全文
【補正方法】変更
【補正の内容】
【発明の詳細な説明】
【発明の名称】テープタイプ使い捨ておむつ
【技術分野】
【０００１】
本発明は、ウエストシートを配置した脇部のフラップ部の通気性を向上させたテープタイプ使い捨ておむつに関するものである。
【背景技術】
【０００２】
一般的なテープタイプ使い捨ておむつは、背側の両側部にファスニングテープがそれぞれ設けられるとともに、腹側外面に止着することで装着を行うものである。装着状態では、背側の両側部のフラップ部と腹側の両側部のフラップ部が重なるようになる。このようなテープタイプ使い捨ておむつにおけるファスニングテープは、摘み易さや強度を保つために、目付の高い素材で作られている場合が多い。
テープタイプ使い捨ておむつは、一般に、月齢が低く、仰向けに寝ている乳児から腹這いになって移動する乳幼児まで使われている。そのため、仰向けや腹這いの姿勢のときに、背側や腹側の製品端部から排泄物が漏れやすい。その漏れを防止するために、背側や腹側の製品端部に伸長させたウレタン材を配置して製品端部が収縮するようにした製品や、通気性不織布間に、前後方向に間隔を置いて複数幅方向に伸縮する伸縮部材を有するウエストシートを、背側の吸収体より裏面側に設けて製品端部が収縮するようにした製品が提供されている（特許文献１、２、５〜７参照）。
【０００３】
ウエストシートは排泄物の漏れ防止の観点からは好ましいものであるが、２枚の不織布と弾性伸縮部材を配置することになるため、返って通気性が悪くなり、着用者のムレ防止が図り難いという、新たな課題が生じることとなった。特に、テープタイプ使い捨ておむつは、装着時に両側部のフラップやファスニングテープが重なる構造のため、そのような重なり部分における通気性の悪化はただでさえ避けえないものであるのに、フィット性向上の観点からウエストシートを両側部のフラップに延在させると、さらに通気性が悪化するおそれがある。
【０００４】
当初、通気性を改善するために、ウエストシートや隣接部材の素材を、単に通気性の良いものに変えることを想到したが、それでは通気性向上という付加価値を消費者に伝え難いという問題点があった。
【０００５】
他方、エンドフラップ部に通気性吸汗シートを配置したり、吸水性の親水領域を設けたりすることにより、ムレた後に吸汗する解決方法も提供されている（特許文献３、特許文献４）が、ムレの発生を根本から解決するものではない。
【先行技術文献】
【特許文献】
【０００６】
【特許文献１】特開平１１−３１８９７８号公報
【特許文献２】特開２００８−５５１９８号公報
【特許文献３】特開２０００−１８９４５４号公報
【特許文献４】特開２００３−２３５８９２号公報
【特許文献５】特開２００３−１８０７４６号公報
【特許文献６】特開２００４−２９０６４６号公報
【特許文献７】特開２００７−１５１８９３号公報
【発明の概要】
【発明が解決しようとする課題】
【０００７】
そこで、本発明の主たる課題は、ウエストシートを有するテープタイプ使い捨ておむつにおいて使用者が通気性向上をはっきりと視認できるムレ防止手段を提供することにある。
【課題を解決するための手段】
【０００８】
上記課題を解決した本発明は次記のとおりである。
＜請求項１記載の発明＞
身体側の透液性トップシートと、裏面側の液不透過性シートと、これら透液性トップシートと液不透過性シートとの間に、幅方向中央における前後方向に沿って配置された吸収体と、背側の両側部に設けられ腹側外面に止着されるファスニングテープとを備えたテープタイプ使い捨ておむつにおいて、
通気性不織布間に、前後方向に間隔を置いて複数幅方向に伸縮する伸縮部材を有するウエストシートを背側の前記吸収体より裏面側に備え、
前記ウエストシートの裏面側に製品を最外面を形成する通気性のバックシート、並びに、製品の両側に着用者側に起立する立体ギャザーを有し、
前記ウエストシートは、前記バックシートと前記立体ギャザー形成用通気性ギャザーシートとの間に幅方向外側に延在し、
前記ファスニングテープの取付部は、前記バックシートと前記立体ギャザー形成用通気性ギャザーシートとの間に固定され、
前記ウエストシートの少なくとも一方面側不織布は、少なくとも前記吸収体の側縁よりも側方に、開口形状がおむつの表裏少なくとも一方から視認可能であるムレ防止用通気孔を間隔を空けて多数有している、ことを特徴とするテープタイプ使い捨ておむつ。
【０００９】
（作用効果）
本発明では、ウエストシートの少なくとも一方面側不織布がムレ防止用通気孔を有しているもとともに、その開口形状がおむつの表裏少なくとも一方から視認可能であるため、使用者が通気性向上をはっきりと視認できるとともに、通気性向上によりムレ防止も図られる。ここで、「通気孔」は所定の開口面積を有するものを意味し、スリットは含まない。しかも、このような開口を有する通気孔を多数有していると、ウエストシートの強度は低下せざるを得ないが、本発明のウエストシートは、バックシートと立体ギャザー形成用通気性ギャザーシートとの間に固定されているので、ムレ防止用通気孔を形成したとしても、ウエストシートはバックシート及び立体ギャザー形成用通気性ギャザーシートとの全体として十分な強度を示すものとなる。なお、「視認可能である」とはウエストシートに重なる部材を透して目視できること意味する。
【００１０】
＜請求項２記載の発明＞
前記ウエストシートは、基材不織布シート間に伸縮部材を伸長状態で配置し、少なくとも一方の基材不織布シートの端部への熱溶着により前記伸縮部材を切断し、その伸縮部材を収縮させたものであり、
前記ムレ防止用通気孔は、熱溶着切断位置とは別の位置に形成され、かつ、前記ウエストシートと前記ファスニングテープの取付部が重ならない位置において形成されている、請求項１記載のテープタイプ使い捨ておむつ。
【００１１】
（作用効果）
通気性のために、ムレ防止用通気孔は、熱溶着切断位置とは別の位置に形成され、かつ、ウエストシートとファスニングテープの取付部が重ならない位置において形成されているのが望ましい。
【００１２】
＜請求項３記載の発明＞
前記ウエストシートの少なくとも一方面側不織布のムレ防止用通気孔は、ウエストシートの両端部のみに形成されている請求項１又は２記載のテープタイプ使い捨ておむつ。
【００１３】
（作用効果）
ウエストシートの通気孔をウエストシートの両端部のみに形成することで、ムレ防止用通気孔によるウエストシートの強度低下を抑制しつつ、装着時に両側部のフラップやファスニングテープが重なる部分の通気性を向上することができる。
【００１４】
＜請求項４記載の発明＞
前記ウエストシートの少なくとも一方面側不織布がメッシュ状不織布とされ、このメッシュ状不織布の開口がムレ防止用通気孔とされている、請求項１〜３のいずれか１項に記載のテープタイプ使い捨ておむつ。
【００１５】
（作用効果）
ウエストシートの少なくとも一方面側不織布にメッシュ状不織布を使うことで、製造ラインにおいてウエストシートにスリット加工工程又は通気孔を設ける加工工程を追加しなくても、ウエストシートにムレ防止用通気孔を備えることができるため好ましい。
【００１６】
＜請求項５記載の発明＞
前記通気性のバックシート及び前記ウエストシートの少なくとも一方に、親水剤を含ませた請求項１〜４のいずれか１項に記載のテープタイプ使い捨ておむつ。
【００１７】
（作用効果）
バックシートの内面に、親水剤を含有させると、ウエストシートのムレ防止用通気孔を通る水分が外気に放出され易くなる。また、ウエストシートの内面及びまたは外面に、親水剤を含有させると、ウエストシートのムレ防止用通気孔を通る水分が外装バックシートを通して外気に放出され易くなる。
＜請求項６記載の発明＞
腹側の脇部にムレ防止用通気孔を形成した請求項１〜５のいずれか１項に記載のテープタイプ使い捨ておむつ。
【００１８】
（作用効果）
腹側の脇部に通気用スリット又は通気孔、メッシュ素材などを用いることで、装着時に腹側と背側とが重なる部分の通気性を向上することができる。
【００１９】
＜請求項７記載の発明＞
前記ウエストシートに対応して腹側ウエストシートを腹側の脇部に設け、この腹側ウエストシートは、基材不織布シート間に伸縮部材を伸長状態で配置し、少なくとも一方の基材不織布シートの端部への熱溶着により前記伸縮部材を切断し、その伸縮部材を収縮させたものであり
前記腹側ウエストシートの少なくとも一方面側不織布が、前記吸収体の側縁よりも側方に、開口形状が表裏少なくとも一方から視認可能であるムレ防止用通気孔を有している、請求項１〜６のいずれか１項に記載のテープタイプ使い捨ておむつ。
【００２０】
（作用効果）
腹側ウエストシートにも、背側ウエストシートと同様に、ムレ防止用通気孔を形成すると、さらにムレが防止される。
【００２１】
＜請求項８記載の発明＞
前記ウエストシートは、隣接する伸縮部材の間に、前記通気性不織布が接合されていない通気間隙が幅方向に連続的に形成されており、かつ前記ムレ防止用通気孔は前記通気間隙と少なくとも一部重なるように形成されている、請求項１〜７のいずれか１項に記載のテープタイプ使い捨ておむつ。
【００２２】
（作用効果）
ウエストシートの通気性不織布間にこのような通気間隙を設けるとともに、ムレ防止用通気孔の位置を少なくとも一部は通気間隙と重ねることにより、通気性不織布の厚み方向の通気性が向上するだけでなく、通気間隙を介した横方向の通気性も向上し、しかもこの通気間隙に対する通気性がムレ防止用通気孔により向上するため、本発明の通気性向上効果がより一層のものとなる。
【００２３】
＜請求項９記載の発明＞
前記ウエストシートの少なくとも一方面側不織布が、高吸水性繊維及び非高吸水性繊維を混合した不織布である、請求項１〜８のいずれか１項に記載のテープタイプ使い捨ておむつ。
【００２４】
（作用効果）
ウエストシートに高吸水性繊維を用いることにより、ウエストシートにおける吸汗保持性が高まり、ムレ防止効果がより一層のものとなる。ただし、高吸水性繊維のみを用いると、吸水した高吸収性繊維が膨張してばらけた際にトップシートを介して肌に付着し易くなるおそれがある。また、トップシートが裏側のシートに対してズレ動き易くなり、装着感を悪化させるおそれもある。これに対して、上述のように、高吸水性繊維集合体を高吸水性繊維及び非高吸水性繊維を混合した不織布とすると、高吸水性繊維が吸水しても非高吸水性繊維との絡まり合いによって保持されるため、そのような問題点は発生し難くなる。
【００２５】
＜請求項１０記載の発明＞
前記ウエストシートにおける前記ムレ防止用通気孔を有する領域の一部又は全部が、前記伸縮部材による収縮の無い部分とされている、請求項１〜９のいずれか１項に記載のテープタイプ使い捨ておむつ。
【００２６】
（作用効果）
ウエストシートにおけるムレ防止用通気孔を有する領域の一部又は全部が、伸縮部材による収縮を受ける部分であると、ウエストシートをある程度まで伸ばした状態（例えば装着状態）では開口形状がはっきりとし、また通気性も十分に発揮されるが、ウエストシートが収縮した状態では開口形状が崩れて見え難くなり、通気性も低下する。これに対して、上述のように、ウエストシートにおけるムレ防止用通気孔を有する領域の一部又は全部が、伸縮部材による収縮の無い部分とされていると、収縮の無い部分ではムレ防止用通気孔が常に完全に開口した状態となり、ウエストシートの伸縮に関係なく、しっかりとした開口形状が視認でき、また通気性向上効果もより一層のものとなる。
【発明の効果】
【００２７】
以上のとおり、本発明によれば、ムレ防止を図ることができるとともに、通気性向上をはっきりと視認でき、さらにウエストシートの強度低下も抑制されるなどの利点がもたらされる。
【図面の簡単な説明】
【００２８】
【図１】テープタイプ使い捨ておむつの内面を示す、おむつを展開した状態における平面図である。
【図２】テープタイプ使い捨ておむつの外面を示す、おむつを展開した状態における平面図である。
【図３】図１の６−６線断面図である。
【図４】図１の７−７線断面図である。
【図５】図１の８−８線断面図である。
【図６】図１の９−９線断面図である。
【図７】図１の５−５線断面図である。
【図８】本発明例の平面部分図である。
【図９】本発明の他の例の平面部分図である。
【図１０】本発明の別の例の平面部分図である。
【図１１】本発明の他の態様を示す平面部分図である。
【図１２】本発明の別の態様を示す平面部分図である。
【発明を実施するための形態】
【００２９】
以下、本発明の実施形態について添付図面を参照しつつ説明する。
図１〜図７はテープタイプ使い捨ておむつの一例を示しており、断面図中の点模様部分はホットメルト接着剤の塗布部分を示している。
【００３０】
＜用語の説明＞
以下の用語「前後方向（縦方向）」とは腹側（前側）と背側（後側）を結ぶ方向を意味し、「幅方向」とは前後方向と直交する方向（左右方向）を意味し、「上下方向」とはおむつの装着状態、すなわちおむつの腹側部分と背側部分を重ね合わせるようにおむつを股間部で２つに折った際に幅方向と直交する方向を意味する。
【００３１】
また、用語「伸長率」は自然長を１００％としたときの値を意味する。
【００３２】
このテープタイプ使い捨ておむつは、幅方向中央に沿って下腹部から股間部を通り臀部までを覆うように延在する部分であって、且つ身体側表面を形成する透液性トップシートと、外面側に位置する液不透過性シートとの間に吸収要素５０が介在する部分である吸収性本体部１０と、この吸収性本体部１０の前側及び後側にそれぞれ延出する部分であって、且つ吸収要素５０を有しない部分である腹側エンドフラップ部ＥＦ及び背側エンドフラップ部ＥＦとを有するものである。
【００３３】
また、このテープタイプ使い捨ておむつは、吸収体の側縁よりも側方に延出する一対のサイドフラップ部ＳＦ，ＳＦを有しており、背側におけるサイドフラップ部ＳＦ，ＳＦにはファスニングテープ１３がそれぞれ設けられている。
【００３４】
より詳細には、吸収性本体部１０ならびに各サイドフラップ部ＳＦ，ＳＦの外面全体が、製品の外形を定める外装バックシート１２により形成されている。特に、吸収性本体部１０においては、外装バックシート１２の内面側に液不透過性シート１１がホットメルト接着剤等の接着剤により固定され、さらにこの液不透過性シート１１の内面側に吸収要素５０、中間シート４０、およびトップシート３０がこの順に積層されている。透液性トップシート３０および液不透過性シート１１は図示例では長方形であり、吸収要素５０よりも前後方向および幅方向において若干大きい寸法を有しており、トップシート３０における吸収要素５０の側縁より食み出る周縁部と、液不透過性シート１１における吸収要素５０の側縁より食み出る周縁部とがホットメルト接着剤などにより固着されている。また液不透過性シート１１は透湿性のポリエチレンフィルム等からなり、トップシート３０よりも若干幅広に形成されている。
【００３５】
さらに、この吸収性本体部１０の両側には、装着者の肌側に突出（起立）する側部立体ギャザー６０，６０が設けられており、この側部立体ギャザー６０，６０を形成するギャザーシート６２，６２が、トップシート３０の両側部上から各サイドフラップ部ＳＦ，ＳＦの内面までの範囲に固着されている。
【００３６】
以下、各部の素材および特徴部分について順に説明する。
（外装バックシート）
外装バックシート１２は吸収要素５０を支持し、着用者に装着するための部分である。外装バックシート１２は、両側部の前後方向中央部が括れた砂時計形状とされており、ここが着用者の脚を囲む部位となる。
【００３７】
外装バックシート１２としては不織布が好適であるが、これに限定されない。不織布の種類は特に限定されず、素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互をホットメルト接着剤等により接着するのが好ましい。不織布を用いる場合、その繊維目付けは１０〜５０ｇ／ｍ2、特に１５〜３０ｇ／ｍ2のものが望ましい。
【００３８】
（液不透過性シート）
液不透過性シート１１の素材は、特に限定されるものではないが、例えば、ポリエチレンやポリプロピレン等のオレフィン系樹脂や、ポリエチレンシート等に不織布を積層したラミネート不織布、防水フィルムを介在させて実質的に液不透過性を確保した不織布（この場合は、防水フィルムと不織布とで液不透過性シートが構成される。）などを例示することができる。もちろん、このほかにも、近年、ムレ防止の観点から好まれて使用されている液不透過性かつ透湿性を有する素材も例示することができる。この液不透過性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。さらに、マイクロデニール繊維を用いた不織布、熱や圧力をかけることで繊維の空隙を小さくすることによる防漏性強化、高吸水性樹脂または疎水性樹脂や撥水剤の塗工といった方法により、防水フィルムを用いずに液不透過性としたシートも、液不透過性シート１１として用いることができる。
【００３９】
（トップシート）
トップシート３０は液透過性を有するものであれば足り、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００４０】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００４１】
（中間シート）
トップシート３０を透過した排泄物を吸収体へ移動させ、逆戻りを防ぐために、トップシート３０と吸収要素５０との間に中間シート（セカンドシートもいわれる）４０を設けることができる。この中間シート４０は、排泄物を速やかに吸収体へ移行させて吸収体による吸収性能を高めるばかりでなく、吸収した排泄物の吸収体からの逆戻りを防止し、トップシート３０表面を肌触りを良くするものである。中間シート４０は省略することもできる。
【００４２】
中間シート４０としては、トップシート３０と同様の素材を用いることができる。中間シート４０はトップシート３０に接合するのが好ましく、その接合にヒートエンボスや超音波溶着を用いる場合は、中間シート４０の素材はトップシート３０と同程度の融点をもつものが好ましい。また、便中の固形分を透過させることを考慮するならば中間シート４０に用いる繊維の繊度は５．０〜７．０ｄｔｅｘであるのが好ましいが、トップシート３０における液残りが多くなる。これに対して、中間シート４０に用いる繊維の繊度が１．０〜２．０ｄｔｅｘであると、トップシート３０の液残りは発生し難いが、便の固形分が透過し難くなる。よって、中間シート４０に用いる不織布の繊維は繊度が２．０〜５．０ｄｔｅｘ程度とするのが好ましい。
【００４３】
図示の形態の中間シート４０は、吸収要素５０の幅より短く中央に配置されているが、全幅にわたって設けてもよい。中間シート４０の前後方向長さは、おむつの全長と同一でもよいし、吸収要素５０の長さと同一でもよいし、液を受け入れる領域を中心にした短い長さ範囲内であってもよい。
【００４４】
（側部立体ギャザー）
トップシート３０上を伝わって横方向に移動する尿や軟便を阻止し、横漏れを防止するために、製品の両側に、使用面側に突出（起立）する側部立体ギャザー６０、６０を設けるのは好ましい。
【００４５】
この側部立体ギャザー６０は、実質的に幅方向に連続するギャザーシート６２と、このギャザーシート６２に前後方向に沿って伸長状態で固定された細長状弾性伸縮部材６３とにより構成されている。このギャザーシート６２としては撥水性でかつ通気性の不織布を用いることができ、また弾性伸縮部材６３としては糸ゴム等を用いることができる。弾性伸縮部材は、図１及び図２に示すように各複数本設ける他、各１本設けることができる。
【００４６】
ギャザーシート６２の内面は、トップシート３０の側部上に幅方向の固着始端を有し、この固着始端から幅方向外側の部分は、液不透過性シート１１の側部およびその幅方向外側に位置する外装バックシート１２の側部にホットメルト接着剤などにより固着されている。
【００４７】
脚周りにおいては、側部立体ギャザー６０の固着始端より幅方向内側は、製品前後方向両端部ではトップシート３０上に固定されているものの、その間の部分は非固定の自由部分であり、この自由部分が弾性伸縮部材６３の収縮力により起立するようになる。おむつの、装着時には、おむつが舟形に体に装着されるので、そして弾性伸縮部材６３の収縮力が作用するので、弾性伸縮部材６３の収縮力により側部立体ギャザー６０が起立して脚周りに密着する。その結果、脚周りからのいわゆる横漏れが防止される。
【００４８】
図示形態と異なり、ギャザーシート６２の幅方向内側の部分における前後方向両端部を、幅方向外側の部分から幅方向内側に延在する基端側部分とこの基端側部分の幅方向中央側の端縁から身体側に折り返され幅方向外側に延在する先端側部分とを有する二つ折り状態で固定し、その間の部分を非固定の自由部分とすることもできる。
【００４９】
（平面ギャザー）
各サイドフラップ部ＳＦ，ＳＦには、ギャザーシート６２の固着部分のうち固着始端近傍の幅方向外側において、ギャザーシート６２と液不透過性シート１１との間に、糸ゴム等からなる脚周り弾性伸縮部材６４が前後方向に沿って伸長された状態で固定されており、これにより各サイドフラップ部ＳＦ，ＳＦの脚周り部分が平面ギャザーとして構成されている。脚周り弾性伸縮部材６４はサイドフラップ部ＳＦにおける液不透過性シート１１と外装バックシート１２との間に配置することもできる。脚周り弾性伸縮部材６４は、図示例のように各側で複数本設ける他、各側に１本のみ設けることもできる。
【００５０】
（吸収要素）
吸収要素５０は、尿や軟便などの液を吸収保持する部分である。吸収要素５０は、吸収体５６と、この吸収体５６の少なくとも裏面及び側面を包む包装シート５８とを有している。包装シート５８は省略することもできる。吸収要素５０は、その裏面においてホットメルト接着剤等の接着剤を介して液不透過性シート１１の内面に接着することができる。
【００５１】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、１インチ当たり５〜７５個、好ましくは１０〜５０個、さらに好ましくは１５〜５０個程度とすることができる。また、均一に捲縮した捲縮繊維を用いる場合が多い。
【００５２】
（高吸収性ポリマー粒子）
吸収体５６は、高吸収性ポリマー粒子を含むのが好ましく、特に、少なくとも液受け入れ領域において、繊維の集合体に対して高吸収性ポリマー粒子（ＳＡＰ粒子）が実質的に厚み方向全体に分散されているものが望ましい。
【００５３】
吸収体５６の上部、下部、及び中間部にＳＡＰ粒子が無い、あるいはあってもごく僅かである場合には、「厚み方向全体に分散されている」とは言えない。したがって、「厚み方向全体に分散されている」とは、繊維の集合体に対し、厚み方向全体に「均一に」分散されている形態のほか、上部、下部及び又は中間部に「偏在している」が、依然として上部、下部及び中間部の各部分に分散している形態も含まれる。また、一部のＳＡＰ粒子が繊維の集合体中に侵入しないでその表面に残存している形態や、一部のＳＡＰ粒子が繊維の集合体を通り抜けて包装シート５８上にある形態も排除されるものではない。
【００５４】
高吸収性ポリマー粒子とは、「粒子」以外に「粉体」も含む。高吸収性ポリマー粒子の粒径は、この種の吸収性物品に使用されるものをそのまま使用でき、１０００μｍ以下、特に１５０〜４００μｍのものが望ましい。高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００５５】
高吸収性ポリマー粒子としては、吸水速度が４０秒以下のものが好適に用いられる。吸水速度が４０秒を超えると、吸収体５６内に供給された液が吸収体５６外に戻り出てしまう所謂逆戻りを発生し易くなる。
【００５６】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００５７】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
【００５８】
この包装シート５８は、図３に示すように、吸収体５６の全体を包む形態のほか、その層の裏面及び側面のみを包装するものでもよい。また図示しないが、吸収体５６の上面及び側面のみをクレープ紙や不織布で覆い、下面をポリエチレンなどの液不透過性シートで覆う形態、吸収体５６の上面をクレープ紙や不織布で覆い、側面及び下面をポリエチレンなどの液不透過性シートで覆う形態などでもよい（これらの各素材が包装シートの構成要素となる）。必要ならば、吸収体５６を、上下２層のシートで挟む形態や下面のみに配置する形態でもよいが、高吸収性ポリマー粒子の移動を防止でき難いので望ましい形態ではない。
【００５９】
（ファスニングテープ）
図１、図２及び図５に示されるように、ファスニングテープ１３は、おむつの側部に固定されたテープ取付部１３Ｃ、及びこのテープ取付部１３Ｃから突出するテープ本体部１３Ｂをなすシート基材と、このシート基材におけるテープ本体部１３Ｂの幅方向中間部に設けられた、腹側に対する係止部１３Ａとを有し、この係止部１３Ａより先端側が摘み部とされたものである。ファスニングテープ１３のテープ取付部１３Ｃは、サイドフラップ部における内側層をなすギャザーシート６２及び外側層をなす外装バックシート１２間に挟まれ、かつホットメルト接着剤により両シート６２，１２に接着されている。また、係止部１３Ａはシート基材に接着剤により剥離不能に接合されている。
【００６０】
乳幼児用おむつにおいては、テープ取付部１３Ｃの寸法のうち、おむつの幅方向の長さＸ１は１０〜５０ｍｍ、特に２０〜４０ｍｍであるのが好ましく、前後方向長さＹ１は、２０〜１００ｍｍ、特に４０〜８０ｍｍであるのが好ましい。また、テープ本体部１３Ｂの寸法のうち、おむつの幅方向の長さは３０〜８０ｍｍ、特に４０〜６０ｍｍであるのが好ましく、前後方向の長さ（高さ）は２０〜７０ｍｍ、特に２５〜５０ｍｍであるのが好ましい。なお、ファスニングテープ１３の一部または全部が例えば略テーパ形状をなし、前後方向長さや幅方向長さが一定でない場合は、上記数値範囲は平均値にて定める。ファスニングテープ１３の形状は、矩形形状などの左右対称形状でもよいが、幅広の取り付け部分と細長状の先端側部分からなる凸型形状であると、先端側部分の摘み部が摘みやすく、かつ左右の取付部間の張力が広範囲に作用するため、好ましい。
【００６１】
係止部１３Ａとしては、メカニカルファスナー（面ファスナー）のフック材（雄材）が好適である。フック材は、その外面側に多数の係合突起を有する。係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。もちろん、ファスニングテープ１３の係止部として粘着材層を設けることもできる。
【００６２】
また、テープ取付部からテープ本体部までを形成するシート基材としては、不織布、プラスチックフィルム、ポリラミ不織布、紙やこれらの複合素材を用いることができるが、繊度１．０〜３．５ｄｔｅｘ、目付け２０〜１００ｇ／ｍ2、厚み１ｍｍ以下のスパンボンド不織布、エアスルー不織布、又はスパンレース不織布が好ましい。
【００６３】
おむつの装着に際しては、背側のサイドフラップ部ＳＦを腹側のサイドフラップ部ＳＦの外側に重ねた状態で、ファスニングテープを腹側Ｆ外面の適所に係止する。ファスニングテープ１３の係止箇所の位置及び寸法は任意に定めることができる。乳幼児用おむつにおいては、係止箇所は、前後方向２０〜８０ｍｍ、幅方向１５０〜３００ｍｍの矩形範囲とし、その上端縁と腹側上縁との高さ方向離間距離を０〜６０ｍｍ、特に２０〜５０ｍｍとし、かつ製品の幅方向中央とするのが好ましい。
【００６４】
ファスニングテープ１３は、背側のエンドフラップ部ＥＦと吸収要素５０の境界線上にファスニングテープ１３のテープ取付部１３Ｃが重なるように取り付けられていると、おむつ装着時に左右のファスニングテープ１３の取り付け部分間に働く張力により、吸収要素５０の背側端部がしっかりと体に押し当てられるため、好ましい。また、ファスニングテープ１３の取り付け部分が、おむつの背側端部（後端部）と離れすぎていると、おむつ装着時に左右のファスニングテープ１３のテープ取付部１３Ｃ間に働く張力がおむつの背側端部にまで及ばないため、おむつの背側端部と身体表面との間に隙間が生じやすい。従って、背側のエンドフラップ部ＥＦの前後方向長さは、ファスニングテープ１３のテープ取付部１３Ｃの前後方向長さと同じか又は短いことが好ましい。
【００６５】
（ターゲットシート）
腹側Ｆにおけるファスニングテープ１３の係止箇所には、係止を容易にするためのターゲット有するターゲットシート１２Ｔを設けるのが好ましい。ターゲットシート１２Ｔは、係止部がフック材１３Ａの場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。  また、腹側Ｆにおけるファスニングテープ１３の係止箇所が不織布からなる場合、例えば図示形態の外装バックシート１２が不織布からなる場合であって、ファスニングテープ１３の係止部がフック材１３Ａの場合には、ターゲットシート１２Ｔを省略し、フック材１３Ａを外装バックシート１２の不織布に絡ませて係止することもできる。この場合、ターゲットシート１２Ｔを外装バックシート１２と液不透過性シート１１との間に設けてもよい。
【００６６】
（エンドフラップ部）
エンドフラップ部は、吸収性本体部１０の前側及び後側にそれぞれ延出する部分であって、且つ吸収要素５０を有しない部分であり、前側の延出部分が腹側エンドフラップ部ＥＦであり、後側の延出部分が背側エンドフラップ部ＥＦである。
【００６７】
背側エンドフラップＥＦの前後方向長さは、前述の理由によりファスニングテープ１３の取り付け部分の前後方向長さと同じか短い寸法とすることが好ましく、また、おむつ背側端部と吸収要素５０とが近接しすぎると、吸収要素５０の厚みとコシによりおむつ背側端部と身体表面との間に隙間が生じやすいため、１０ｍｍ以上とすることが好ましい。
【００６８】
腹側エンドフラップ部ＥＦ及び背側エンドフラップ部ＥＦの前後方向長さは、おむつ全体の前後方向長さＬの５〜２０％程度とするのが好ましく、乳幼児用おむつにおいては、１０〜６０ｍｍ、特に２０〜５０ｍｍとするのが適当である。
【００６９】
（背側伸縮ウエストシート）
図示形態では、両ファスニングテープ１３間に、幅方向に弾性伸縮する帯状の背側伸縮ウエストシート７０が設けられ、おむつ背側部におけるフィット性を向上させている。背側伸縮ウエストシート７０の両端部は両ファスニングテープ１３の取り付け部分と重なる部位まで延在されているのが好ましいが、幅方向中央側に離間していても良い。背側伸縮ウエストシート７０の前後方向寸法は、ファスニングテープ１３の取り付け部分の前後方向寸法と概ね同じにするのが適当であるが、±２０％程度の寸法差はあってもよい。また、図示のように背側伸縮ウエストシート７０が背側エンドフラップ部ＥＦと吸収要素５０の境界線と重なるように配置されていると、吸収要素５０の背側端部がしっかりと体に押し当てられるため、好ましい。背側伸縮ウエストシート７０は、ゴムシート等のシート状弾性部材を用いても良いが、通気性の観点から不織布や紙を用いるのが好ましい。この場合、伸縮不織布のような通気性を有するシート状弾性部材を用いることもできるが、図５に示すように、二枚の不織布等のシート基材７１をホットメルト接着剤等の接着剤により張り合わせるとともに、両シート基材７１間に細長状（糸状又は紐状等）等の弾性伸縮部材７２を幅方向に沿って伸長した状態で固定したものが好適に用いられる。この場合におけるシート基材７１としては、外装バックシート１２と同様のものを用いることができる。弾性伸縮部材７２の伸長率は１５０〜２５０％程度であるのが好ましい。また、弾性伸縮部材７２として細長状（糸状又は紐状等）のものを用いる場合、太さ４２０〜１１２０ｄｔｅｘのものを３〜１０ｍｍの間隔７２ｄで５〜１５本程度設けるのが好ましい。
【００７０】
ウエストシート７０に用いる少なくとも一方のシート基材７１として、非高吸水性繊維に高吸水性繊維を混合した不織布を用いると、汗を吸収保持することができるため好ましい。特に、バックシート側に位置するシート基材７１により多くの高吸収性繊維を混合した不織布を用いると、肌とおむつ表面にある水分を肌から遠い位置にある高吸収性繊維で強固に保持することができるため好ましい。高吸水性繊維のみを用いると、吸水した高吸収性繊維が膨張してばらけた際にトップシートを介して肌に付着し易くなるおそれや、トップシートが裏側のシートに対してズレ動き易くなり、装着感を悪化させるおそれもあるが、上述のように、高吸水性繊維集合体を高吸水性繊維及び非高吸水性繊維を混合した不織布とすると、高吸水性繊維が吸水しても非高吸水性繊維との絡まり合いによって保持されるため、そのような問題点は発生し難くなる。高吸水性繊維は、公知の高吸水性樹脂（ＳＡＰ）を繊維の形態としたもの（高吸収性繊維、あるいは超吸収性繊維ともいわれ、市販のものとしては東洋紡株式会社製のランシール（登録商標）Ｆを例示することができる）を意味する。高吸水性繊維の繊維長は特に限定されず、短繊維であっても長繊維（連続繊維）であっても良い。高吸水性繊維を混合した不織布における繊維間の結合は、繊維の絡み合いによるものの他、繊維交差点の溶着によるものや、接着剤により接着するもの等、適宜採用することができる。非高吸水性繊維としては、通常の不織布に用いられる短繊維又は長繊維とすることができ、特に親水性繊維を用いるか親水化剤を塗布したものを用いると好ましい。繊維の具体例は外装バックシート１２やトップシート３０の項で述べたものを用いることができる。
【００７１】
ウエストシート７０は、たとえば基材不織布シート７１，７１間に伸縮部材７２、７２…を伸長状態で配置し、少なくとも一方の基材不織布シート７１，７１の端部への熱溶着により前記伸縮部材を切断し、その伸縮部材を収縮させたものである。ウエストシート７の形成に際しては、本発明出願人が特許文献１などにより多くの形態を提案してあるので、これらを参照できる。
【００７２】
基材不織布シート７１，７１間の接合や、基材不織布シート７１に対する伸縮部材の固定のための手段は溶着を用いることもできるが、ホットメルト接着剤を好適に用いることができる。ホットメルト接着剤の塗布パターンとしては、一面に連続的に塗布するスロット塗布や、らせん状のスパイラル塗布、細い糸状に塗布しながら左右方向に空気で振動させるカーテン塗布などを用いることができるが、ホットメルト接着剤は通気性を低下させる要素であるため、塗布パターンはより塗布面積の少ないものが好ましく、従ってスロット塗布よりはカーテン塗布、カーテン塗布よりはスパイラル塗布が好ましい。基材不織布シート７１，７１間の接合は溶着により、基材不織布シート７１に対する伸縮部材の固定はホットメルト接着剤により行うこともできる。
【００７３】
また、図示のように弾性伸縮部材７２の一部が吸収要素５０を横断するように配置すると、吸収要素５０のフィット性が向上するため好ましいが、この場合は、弾性伸縮部材７２が吸収要素５０と重なる部分の一部又は全部を、切断等の手段により収縮力が働かないようにすると、吸収要素５０の背側端部が幅方向に縮まないため、フィット性がさらに向上する。
【００７４】
なお、弾性伸縮部材７２は、シートの長手方向（おむつの幅方向）にシート基材７１の全長にわたって固定されていてもよいが、おむつ本体への取り付け時の縮みやめくれ防止のため、シートの前後方向（おむつの幅方向）端部の５〜２０ｍｍ程度の範囲においては、収縮力が働かないように、または弾性伸縮部材７２が存在しないようにするとよい。
【００７５】
背側伸縮ウエストシート７０は、図示形態では、液不透過性シート１１の幅方向両側ではギャザーシート６２と外装バックシート１２との間に挟まれ、且つ液不透過性シート１１と重なる部位では、液不透過性シート１１と吸収要素５０との間に挟まれるように設けられているが、液不透過性シート１１と外装バックシート１２との間に設けても良いし、外装バックシート１２の外面に設けても良く、またトップシート３０と吸収要素５０との間に設けてもよい。また、背側伸縮ウエストシート７０はトップシート３０の上に設けても良く、この場合、液不透過性シート１１の幅方向両側ではギャザーシート６２の上に設けても良い。また、外装バックシート１２を複数枚のシート基材を重ねて形成する場合には、背側伸縮ウエストシート７０全体を、外装バックシート１２のシート基材間に設けても良い。
【００７６】
（本発明の具体例）
さて、本発明の具体例は、身体側の透液性トップシート３０と、裏面側の液不透過性シート１１と、これら透液性トップシート３０と液不透過性シート３０との間に、幅方向中央において前後方向に沿って配置された吸収体５６と、背側の両側部に設けられ腹側外面に止着されるファスニングテープ１３，１３とを備えたテープタイプ使い捨ておむつにおいて、通気性不織布７１，７１間に、前後方向に間隔を置いて複数幅方向に伸縮する伸縮部材７２，７２…を有するウエストシート７０を背側の吸収体５６より裏面側に備え、ウエストシート７０の裏面側に製品を最外面を形成する通気性のバックシート１２、並びに、製品の両側に着用者側に起立する立体ギャザー６０，６０を有し、ウエストシート７０は、バックシート１２と立体ギャザー形成用通気性ギャザーシート６２との間に幅方向外側に延在し、ファスニングテープ１３の取付部１３Ｃは、バックシート１２と立体ギャザー形成用通気性ギャザーシート６２との間に固定され、ウエストシート７０の少なくとも一方面側不織布７１が、少なくとも吸収体５６の側縁よりも側方に、開口形状がおむつの表裏少なくとも一方から視認可能であるムレ防止用通気孔７４を有しているを有しているものである。よって、ムレ防止用通気孔７４を視認可能とするために、ウエストシート７４の表側、裏側に重なる部材として、完全に不透明なものは選択せず、ある程度の透過性を有するものを選択する必要がある。
【００７７】
他方、ウエストシート７０は、基材不織布シート７１，７１間に伸縮部材７２，７２…を伸長状態で配置し、少なくとも一方の基材不織布シート７１の端部への熱溶着により伸縮部材７２を切断し、その伸縮部材７２を収縮させたものを使用することが望ましい。その切断に伴って、一方又は両方の基材不織布シート７１，７１にスリット孔７３が形成されることがあるが、本発明は、その熱溶着切断とは別に通気孔７４を形成するものである。
特に、ムレ防止用通気孔７４を有する領域の一部又は全部が、伸縮部材７２による収縮の無い部分であると、収縮の無い部分ではムレ防止用通気孔が常に完全に開口した状態となり、ウエストシートの伸縮に関係なく、しっかりとした開口形状が視認でき、また通気性向上効果もより一層のものとなる。このような収縮の無い部分は、例えば対象部分に位置する伸縮部材７２を熱溶着等により細かな小片に切断し、実質的に収縮力を殺す等により形成することができる。れている
【００７８】
本発明のムレ防止用通気孔７４は、図９のように、ウエストシート７０の両端部のみに形成されている形態のほか、図１０のように、ウエストシート７０の両端部だけでなく、ウエストシート７０の幅方向中央部にも形成されている形態であってもよい。
【００７９】
さらに、腹側の脇部のフラップ部にムレ防止用通気孔を形成すると、背側のムレ防止用通気孔と相俟ってムレ防止効果が高いものとなる。
【００８０】
図１１のように、背側のウエストシート７０に対応して腹側ウエストシート７６を腹側の脇部に設けることができる。
この腹側ウエストシート７６も、背側ウエストシート７０と同様に、基材不織布シート間に伸縮部材を伸長状態で配置し、少なくとも一方の基材不織布シートの端部への熱溶着により伸縮部材を切断し、その伸縮部材を収縮させた伸縮シートである。
【００８１】
前記ウエストシート７０は、腹側ウエストシート７６全体を貫通することなく、少なくとも一方面側不織布にスリット又は通気孔が形成されていればよい。
【００８２】
前記ウエストシート７０または腹側ウエストシート７６は、不織布に換えて、メッシュ状シートとすることもできる。
【００８３】
外装バックシート１２の内面に、親水剤を含有させると、ウエストシート７０のムレ防止用通気孔を通る水分が外気に放出され易くなる。
【００８４】
ウエストシート７０の内面及びまたは外面に、親水剤を含有させると、ウエストシート７０のムレ防止用通気孔を通る水分が外装バックシート１２を通して外気に放出され易くなる。
【００８５】
一つの好ましい形態として、ウエストシート７０における隣接する伸縮部材７２の間に、基材不織布シート７１，７１が接合されていない通気間隙が幅方向に連続的に形成されており、かつムレ防止用通気孔７４は通気間隙と少なくとも一部重なるように形成されているものも提案される。ウエストシート７０の基材不織布シート７１，７１間にこのような通気間隙を設けるとともに、ムレ防止用通気孔の位置を少なくとも一部は通気間隙と重ねることにより、基材不織布シート７１，７１の厚み方向の通気性が向上するだけでなく、通気間隙を介した横方向の通気性も向上し、しかもこの通気間隙に対する通気性がムレ防止用通気孔により向上するため、本発明の通気性向上効果がより一層のものとなる。このような通気間隙は、例えば伸縮部材７２の外周面にシュアラップノズルやコームガン等によりホットメルト接着剤を塗布し、ウエストシート７０の基材不織布シート７１，７１にはホットメルト接着剤を塗布せず、又は塗布するとしても伸縮部材７２の両端部のみとして、基材不織布シート７１，７１間に伸縮部材７２を挟み、伸縮部材７２の外周面の接着剤により基材不織布シート７１，７１相互の接合と伸縮部材７２の固定とを行うことにより形成することができる。また、例えば、伸縮部材７２の非通過位置で基材不織布シート７１，７１相互を直接的に散点状に溶着し、伸縮部材７２の両端部の位置ではホットメルト接着剤で基材不織布シート７１，７１相互を接着することによっても形成することができる。
【００８６】
他方、図８を参照すると典型的に判るように、上記例は、ウエストシート７０と、ファスニングテープ１３の取付部１３Ｃとが重なっている例であるが、図１２のようにウエストシート７０の延在端縁と、ファスニングテープ１３の取付部１３Ｃ端縁は離間していても、ウエストシート７０は、バックシート１２と立体ギャザー形成用通気性ギャザーシート６２との間にサンドウイッチ構造で固定されるので、通気孔などを形成しても、十分な強度をもった構造となる。
【００８７】
本発明における親水化剤しては、人体への安全性、工程での安全性等を考慮して、高級アルコール、高級脂肪酸、アルキルフェノール等のエチレンオキサイドを付加した非イオン系活性剤、アルキルリン酸エステル塩（オクチル、ドデシル系）、アルキル硫酸塩等のアニオン系活性剤等の単独あるいは混合物等が好ましく用いられ、シートへの付与量は、要求される性能によって異なるが、通常は対象シートの乾燥重量に対して０．１〜２．０ｗｔ％程度、特に０．２〜１．０ｗｔ％程度とするのが望ましい。
【００８８】
＜実験＞
各種ウエストシートのサンプルを作成し、自然長の状態で、ＫＺ型通気量測定器（型番：ＡＰ−５００ＫＺ）で一定量の空気が通気する速度（秒）を測定し、通気性を評価した。測定に際しては、１２５Ｐａの測定圧で、５００Ｌの空気が、直径５０ｍｍの円を通過する速度（秒）を測定した。
（サンプル１）
サンプル寸法：縦１０ｃｍ×横  １０ｃｍ
シート基材：肌側及びバックシート側ともに、繊度１．８ｄｔｅｘ、目付１８ｇ／ｍ2のＳＭＳ不織布。
通気孔等：なし。
伸縮部材：太さ４７０ｄｔｅｘのスパンデックス糸ゴム、本数５本、間隔５ｍｍ、固定時の伸長率２７０％。
２枚のシート基材の接着：ホットメルト接着剤のスパイラル塗布、塗布量１５ｇ／ｍ2。
通気性の測定結果：２５．９ｃｃ／ｃｍ2／ｓｅｃ
（サンプル２）
サンプル寸法：縦１０ｃｍ×横１０ｃｍ
シート基材：肌側及びバックシート側ともに、繊度１．８ｄｔｅｘ、目付１８ｇ／ｍ2のＳＭＳ不織布に孔を多数形成したメッシュ不織布。
通気孔等：孔の寸法形状は長径３．０ｍｍ、短径２．５ｍｍの楕円形、孔と孔との間隔は縦方向及び横方向にそれぞれ１．５ｍｍ。
伸縮部材：太さ４７０ｄｔｅｘのスパンデックス糸ゴム、本数５本、間隔５ｍｍ、固定時の伸長率２７０％。
２枚のシート基材の接着：ホットメルト接着剤のスパイラル塗布、塗布量１５ｇ／ｍ2。
通気性の測定結果：２１．６ｃｃ／ｃｍ2／ｓｅｃ
（サンプル３）
サンプル寸法：縦１０ｃｍ×横１０ｃｍ
シート基材：肌側及びバックシート側ともに、繊度１．８ｄｔｅｘ、目付１８ｇ／ｍ2のＳＭＳ不織布に孔を多数形成したメッシュ不織布。
通気孔等：孔の寸法形状は長径１０．０ｍｍ、短径５．０ｍｍの楕円形、孔と孔との間隔は縦方向及び横方向にそれぞれ５ｍｍ。
伸縮部材：太さ４７０ｄｔｅｘのスパンデックス糸ゴム、本数５本、間隔５ｍｍ、固定時の伸長率２７０％。
２枚のシート基材の接着：ホットメルト接着剤のスパイラル塗布、塗布量１５ｇ／ｍ2。
通気性の測定結果：１５．１ｃｃ／ｃｍ2／ｓｅｃ
【産業上の利用可能性】
【００８９】
本発明は、テープタイプ使い捨ておむつに利用可能なものである。
【符号の説明】
【００９０】
１１…液不透過性シート、１２…外装バックシート、１２Ｔ…ターゲットシート１３…ファスニングテープ、１３Ａ…係止部、１３Ｂ…テープ本体部、１３Ｃ…テープ取付部、３０…トップシート、４０…中間シート、５０…吸収要素、５６…吸収体、５８…包装シート、６０…側部立体ギャザー、６２…ギャザーシート、７０…ウエストシート、７１…基材不織布シート、７２…伸縮部材、７３…スリット孔、７４…通気孔、７６…腹側ウエストシート。
【手続補正２】
【補正対象書類名】特許請求の範囲
【補正対象項目名】全文
【補正方法】変更
【補正の内容】
【特許請求の範囲】
【請求項１】
身体側の透液性トップシートと、裏面側の液不透過性シートと、これら透液性トップシートと液不透過性シートとの間に、幅方向中央における前後方向に沿って配置された吸収体と、背側の両側部に設けられ腹側外面に止着されるファスニングテープとを備えたテープタイプ使い捨ておむつにおいて、
通気性不織布間に、前後方向に間隔を置いて複数幅方向に伸縮する伸縮部材を有するウエストシートを背側の前記吸収体より裏面側に備え、
前記ウエストシートの裏面側に製品を最外面を形成する通気性のバックシート、並びに、製品の両側に着用者側に起立する立体ギャザーを有し、
前記ウエストシートは、前記バックシートと前記立体ギャザー形成用通気性ギャザーシートとの間に幅方向外側に延在し、
前記ファスニングテープの取付部は、前記バックシートと前記立体ギャザー形成用通気性ギャザーシートとの間に固定され、
前記ウエストシートの少なくとも一方面側不織布は、少なくとも前記吸収体の側縁よりも側方に、開口形状がおむつの表裏少なくとも一方から視認可能であるムレ防止用通気孔を間隔を空けて多数有している、ことを特徴とするテープタイプ使い捨ておむつ。
【請求項２】
前記ウエストシートは、基材不織布シート間に伸縮部材を伸長状態で配置し、少なくとも一方の基材不織布シートの端部への熱溶着により前記伸縮部材を切断し、その伸縮部材を収縮させたものであり、
前記ムレ防止用通気孔は、熱溶着切断位置とは別の位置に形成され、かつ、前記ウエストシートと前記ファスニングテープの取付部が重ならない位置において形成されている、請求項１記載のテープタイプ使い捨ておむつ。
【請求項３】
前記ウエストシートの少なくとも一方面側不織布のムレ防止用通気孔は、ウエストシートの両端部のみに形成されている請求項１又は２記載のテープタイプ使い捨ておむつ。
【請求項４】
前記ウエストシートの少なくとも一方面側不織布がメッシュ状不織布とされ、このメッシュ状不織布の開口がムレ防止用通気孔とされている、請求項１〜３のいずれか１項に記載のテープタイプ使い捨ておむつ。
【請求項５】
前記通気性のバックシート及び前記ウエストシートの少なくとも一方に、親水剤を含ませた請求項１〜４のいずれか１項に記載のテープタイプ使い捨ておむつ。
【請求項６】
腹側の脇部にムレ防止用通気孔を形成した請求項１〜５のいずれか１項に記載のテープタイプ使い捨ておむつ。
【請求項７】
前記ウエストシートに対応して腹側ウエストシートを腹側の脇部に設け、この腹側ウエストシートは、基材不織布シート間に伸縮部材を伸長状態で配置し、少なくとも一方の基材不織布シートの端部への熱溶着により前記伸縮部材を切断し、その伸縮部材を収縮させたものであり
前記腹側ウエストシートの少なくとも一方面側不織布が、前記吸収体の側縁よりも側方に、開口形状が表裏少なくとも一方から視認可能であるムレ防止用通気孔を有している、請求項１〜６のいずれか１項に記載のテープタイプ使い捨ておむつ。
【請求項８】
前記ウエストシートは、隣接する伸縮部材の間に、前記通気性不織布が接合されていない通気間隙が幅方向に連続的に形成されており、かつ前記ムレ防止用通気孔は前記通気間隙と少なくとも一部重なるように形成されている、請求項１〜７のいずれか１項に記載のテープタイプ使い捨ておむつ。
【請求項９】
前記ウエストシートの少なくとも一方面側不織布が、高吸水性繊維及び非高吸水性繊維を混合した不織布である、請求項１〜８のいずれか１項に記載のテープタイプ使い捨ておむつ。
【請求項１０】
前記ウエストシートにおける前記ムレ防止用通気孔を有する領域の一部又は全部が、前記伸縮部材による収縮の無い部分とされている、請求項１〜９のいずれか１項に記載のテープタイプ使い捨ておむつ。